(57)【要約】【課題】  屋根固定具への雪止め部材の着脱が容易で、しかも雪止め部材を確実に固定することができる雪止め部材取付け具を提供することを課題とする。【解決手段】  屋根２上に固定される屋根固定具５と、前記屋根固定具５に押圧固定された雪止め部材３を挟持する挟持部材４とで雪止め部材取付け具１を構成する。また、雪止め部材としての山形鋼３の一辺3aを前記屋根固定具５に押圧固定し、前記山形鋼３の他の辺3bを前記屋根固定具５と挟持部材４との間に挟持する。さらに、挟持部材４の両端部4a，4aが屋根固定具５の上部板８に設けた孔13，13に挿入されて固定されることによって上記の課題を解決する。【選択図】  図３
0003116851.tif 000002
【実用新案登録請求の範囲】
【請求項１】
屋根上に固定される屋根固定具と、前記屋根固定具に押圧固定された雪止め部材を挟持する挟持部材とからなることを特徴とする雪止め部材取付け具。
【請求項２】
前記雪止め部材が山形鋼からなることを特徴とする請求項１記載の雪止め部材取付け具。
【請求項３】
前記山形鋼の一辺が前記屋根固定具に押圧固定され、前記山形鋼の他の辺が前記屋根固定具と挟持部材との間に挟持されることを特徴とする請求項２記載の雪止め部材取付け具。
【請求項４】
前記挟持部材が１本の線材からなることを特徴とする請求項１〜３のいずれか１項に記載の雪止め部材取付け具。
【請求項５】
前記挟持部材の両端部が屋根固定具の上部板に設けた孔に挿入されることによって固定されることを特徴とする請求項４記載の雪止め部材取付け具。
【請求項６】
前記挟持部材の両端部間隔が屋根固定具の上部板に設けた２箇所の孔間隔と異なることを特徴とする請求項５記載の雪止め部材取付け具。
【考案の詳細な説明】
【技術分野】
【０００１】
本考案は、屋根に積もった雪が落下しないようにする雪止め部材を取付ける雪止め部材取付け具に関する。
【背景技術】
【０００２】
北陸地方や東北地方の日本海側地域のように積雪の多い地方においては、冬季の積雪の処理に悩まされる。道路等に積もった雪は自治体等から委託された業者によって除雪される。このような業者による道路の除雪は機械化が進んでおり、比較的短時間で除雪することが可能になっている。
【０００３】
一方、個別住宅の屋根に積もった雪の処理は、原則として住宅の居住者によって行なわなければならず、小家族化と高齢化の進行により雪の処理は切実な問題となってきた。ここで、屋根に積もった雪は極端に多くなければ雪下ろしをしないでも済むものである。雪下ろしをしないでも済む積雪量は、個々の住宅の強度に依存することになるが、通常の新雪であれば １ｍ 程度の積雪量までであれば雪下ろしをしないでも済む。もっとも屋根の勾配を急傾斜にすれば、屋根に雪を積もらなくすることもできる。しかし、屋根の勾配を多少急傾斜にしたところで、屋根への雪の付着は雪質によっても変化するため、屋根に雪が積もったり積もらなかったりすることになり、雪が積もった場合には突然屋根から雪が落下することになり危険でもある。このような事情から、一般的な住宅においては屋根に雪が積もる程度の屋根の勾配とされている。
【０００４】
しかしながら、通常は屋根に雪が積もる程度の一般的な勾配の屋根であっても、雪質や外気条件によっては突然屋根から雪が落下することもある。屋根に積もった雪が突然落下すると非常に危険である。たとえば屋根の勾配面が通路に面した家屋であっては、屋根から雪が突然落下すると、通路を通りかかった人が雪によって直撃される危険性がある。また、道路を自動車が通行している場合であっても、屋根から落下した雪によって自動車が直撃され交通事故発生の原因になることがある。したがって、積雪の多い地方の住宅の屋根には、屋根に積もった雪が突然落下することがないようにするため、屋根上に雪止め部材を取り付けている。また、雪止め部材は屋根から雪が突然落下するのを防止するとともに、人間が屋根に上がって雪下ろしを行なう場合に人間が屋根から落下するのを防止する機能をも有する。
【０００５】
雪止め部材として、古くは間伐材としての丸太を用いていた時代もあったが、強度や作業性等の面から現在では山形鋼を雪止め部材として用いることが多くなった。そして、山形鋼を取り付けるための雪止め部材取付け具を適当な間隔をもって屋根に取り付けている（例えば、特許文献１参照）。
【特許文献１】特開２００３−２２７２１３号公報
【考案の開示】
【考案が解決しようとする課題】
【０００６】
しかし、従来の雪止め部材を取付ける屋根固定具は、図６〜図８に示すような構造のものである。ここで、図６は屋根固定具の平面図を、図７は正面図を、図８は右側面図を表している。
【０００７】
屋根固定具５は屋根に固定される下部板６が一端で上方に曲げられて側板部７とされ、さらにその側板部７が上方で折り曲げられて上部板８とされ、その先端でＵ字型に折り曲げられた押圧板９と、一端が下部板６に固定され他端が側板部７に固定された中部板11とから構成されている。そして、雪止め部材としての山形鋼３の一辺3aを前記押圧板９と中部板11との間に押し込んで取り付けるだけのものであった。したがって、山形鋼３の一辺3aをＵ字型に折り曲げられた押圧板９のバネ力によって固定するだけの固定方法であったことから、屋根上に積もった雪が屋根の勾配によって落下しようとすると、図９に示すように山形鋼３の一辺3aが屋根固定具５の中部板11と押圧板９との間に挿入されただけなので、山形鋼３の他の辺3bに外力Ｆが作用すると、押圧板９が変形してしまい、雪止め部材としての山形鋼３の固定は困難となる。
【０００８】
一方、このような事態を回避するため、雪止め部材としての山形鋼を屋根固定具にボルト締めにより固定する方法や、山形鋼を屋根固定具に溶接により固着する方法もある。しかし、山形鋼を屋根固定具にボルト締めにより固定する方法では、山形鋼の一辺にボルトを挿通するための孔を加工する必要がある。また、山形鋼を屋根固定具に溶接により固着する方法では、山形鋼を屋根固定具から簡単に取外すことができないという問題があった。
【０００９】
本考案は上記の事情に鑑みてなされたものであり、屋根固定具への雪止め部材の着脱が容易で、しかも雪止め部材を確実に固定することができる雪止め部材取付け具を提供することを課題とする。
【課題を解決するための手段】
【００１０】
請求項１記載の考案は、屋根上に固定される屋根固定具と、前記屋根固定具に押圧固定された雪止め部材を挟持する挟持部材とからなることを特徴とするものである。
【００１１】
請求項２記載の考案は、請求項１記載の雪止め部材取付け具において、前記雪止め部材が山形鋼からなることを特徴とするものである。
【００１２】
請求項３記載の考案は、請求項２記載の雪止め部材取付け具において、前記山形鋼の一辺が前記屋根固定具に押圧固定され、前記山形鋼の他の辺が前記屋根固定具と挟持部材との間に挟持されることを特徴とするものである。
【００１３】
請求項４記載の考案は、請求項１〜３のいずれか１項に記載の雪止め部材取付け具において、前記挟持部材が１本の線材からなることを特徴とするものである。
【００１４】
請求項５記載の考案は、請求項４記載の雪止め部材取付け具において、前記挟持部材の両端部が屋根固定具の上部板に設けた孔に挿入されることによって固定されることを特徴とするものである。
【００１５】
請求項６記載の考案は、請求項５記載の雪止め部材取付け具において、前記挟持部材の両端部間隔が屋根固定具の上部板に設けた２箇所の孔間隔と異なることを特徴とするものである。
【考案の効果】
【００１６】
請求項１記載の雪止め部材取付け具によれば、雪止め部材が屋根固定具と挟持部材との間に挟持されるので、雪止め部材に積雪による外力が作用しても雪止め部材を確実に固定することができる。
【００１７】
請求項２記載の雪止め部材取付け具によれば、雪止め部材として汎用材料である山形鋼を使用できるので経済性に富む。
【００１８】
請求項３記載の雪止め部材取付け具によれば、雪止め部材としての山形鋼の一辺が屋根固定具に押圧固定されるとともに、山形鋼の他の辺が屋根固定具との間に挟持されるので山形鋼に積雪による外力が作用しても山形鋼を確実に固定することができる。
【００１９】
請求項４記載の雪止め部材取付け具によれば、挟持部材を１本の線材から製作することができるので挟持部材を低コストで製作できる。
【００２０】
請求項５記載の雪止め部材取付け具によれば、線材からなる挟持部材の両端部を屋根固定具の上部板に設けた孔に挿入することにより固定できるので、雪止め部材の固定作業が極めて容易にできる。
【００２１】
請求項６記載の雪止め部材取付け具によれば、挟持部材の両端部間隔が屋根固定具の上部板に設けた２箇所の孔間隔と異なるので、挟持部材のばね力を利用して挟持部材の両端部を前記孔内に確実に係止することができる。
【考案を実施するための最良の形態】
【００２２】
以下、本考案を実施するための形態について図面を参照しながら説明する。図１は本考案に係る雪止め部材取付け具１が屋根２上に離間して取付けられた状態を示している。各雪止め部材取付け具１との間には雪止め部材３が取付けられる。図２〜図５は本考案の雪止め部材取付け具１を示すものである。ここで、図２は平面図、図３は正面図、図４は右側面図を示しているが、雪止め部材３としての山形鋼は図３においてのみ断面として示し、図２および図４においては図面が煩雑化することから省略している。また、図５は雪止め部材取付け具１の挟持部材４を示す斜視図である。
【００２３】
本考案の雪止め部材取付け具１は、図５に示す挟持部材４が取付けられるほかは、前記背景技術において説明した従来の屋根固定具５と基本構成を共通にするものである。すなわち、屋根固定具５は屋根２に固定される下部板６が一端で上方に曲げられて側部板７とされ、さらにその側部板７が上方で折り曲げられて上部板８とされ、その先端でＵ字型に折り曲げられた押圧板９と、一端が下部板６に固定され他端が側部板７に固定された中部板11とから構成されている。そして、Ｕ字型に折り曲げられた押圧板９はバネ効果を有するようにされている。また、下部板６には屋根２に固定するための取付け孔12が複数設けられおり、取付け孔12部と雪止め部材３を挟持する部位との間に折り曲げ部が設けられ、屋根２への取り付けが容易になるようにされている。そして、雪止め部材３としての山形鋼の一辺3aを前記押圧板９と中部板11との間に押し込んで取り付け、Ｕ字型に折り曲げられた押圧板９のバネ力によって雪止め部材３を固定するようにされている点で共通している。
【００２４】
しかし、本考案による雪止め部材取付け具１は、以下の点で従来技術とは異なっている。屋根固定具５の上部板８には挟持部材４の端部4aを挿入固定するための孔13が２箇所に設けられ、２箇所の孔間隔はsとされている。一方、挟持部材４は１本の線材からなるものであり、屋根固定具５の下部板６の上面に当接される略コの字状に形成された基部4bと、該基部4bから立設される２本の挟持部4cと、該挟持部4cから折り曲げられた２箇所の端部4aからなる。そして、２箇所の端部4aの間隔はＳとされ、間隔Ｓは間隔ｓと異なる寸法とされている。具体的にはＳ＞ｓとされている。
【００２５】
略コの字状に形成された基部4bは屋根固定具５の下部板６の上面に当接される。また、挟持部4cから折り曲げられた２箇所の端部4aは屋根固定具５の上部板８に設けられた２箇所の孔13に挿入される。そして、立設された２本の挟持部4cは途中において「く」の字状に屈折されており、該挟持部4cと中部板11の立設部11aとの間に配設される山形鋼の他の辺3bを挟持する。
【００２６】
ここで、屋根固定具５および挟持部材４は、主として防錆を目的としてステンレス鋼材から製作される。屋根固定具５はステンレス鋼板から製作されるが、プレス加工等により下部板６や側部板７および上部板８の端部はＲ状に折り曲げられ、剛性と美観の向上が図られている。さらに、下部板６や側部板７および上部板８の端部以外の部位にも、主として剛性向上を目的として凹凸条14が設けられている。屋根固定具５の上部板８の端部はＵの字状に折り曲げられて押圧板９を構成し、押圧板９はバネ効果を有するようにされている。
【００２７】
中部板11は下部板６や側部板７とは別体としてプレス加工され、その後、リベット締結または溶接により下部板６および側部板７に固着され、一体化される。ここで、中部板11の上面とＵの字状に折り曲げられた押圧板９との間隔は使用される山形鋼の一辺3aの肉厚より小さな寸法となるように形成される。中部板11と押圧板９との間に山形鋼の一辺3aを挿入した際に充分な押圧力を付与するためである。
【００２８】
図５に示す挟持部材４は１本のステンレス線材から製作される。挟持部材４の両端部4a，4aは上部板８に設けられた２箇所の孔13，13に挿入される。したがって、挟持部材４の両端部4a，4aの間隔Ｓは上部板に設けられた２箇所の孔13，13の間隔ｓに相当する寸法で製作することも考えられるが、そのようにすると、挟持部材４の端部4aを孔内において保持することが困難となる。そこで、挟持部材４は１本の線材から構成され大きな弾性変形能力を有する特性を利用して２箇所の孔13，13の間隔sより挟持部材４の両端部4a，4aの間隔Ｓを大きくして、摩擦力により挟持部材４を孔13内に係止可能なようにされている。基部4bから立設される２本の挟持部4cの高さ寸法は、屋根固定具５の下部板６と上部板８との間隔より大きな寸法とされる。また、挟持部4cの途中に設けられる屈折部の凸部先端4dと中部板11の立設部11aとの間隔は、使用する雪止め部材としての山形鋼３の肉厚に相当する程度に設定される。このことにより、山形鋼３の他の辺3bを確実に挟持することができるようになる。
【００２９】
次に、本考案による雪止め部材取付け具１への雪止め部材としての山形鋼３の取付け方法について説明する。先ず、図１に示すように屋根固定具５を屋根２上に適度な間隔をあけて取付ける。次に、挟持部材４の基部4cを屋根固定具５と中部板11とで囲まれる空間部に挿入して挟持部材４の立設部4cを横倒しにした状態にして置く。そして、屋根２の長さに調整された雪止め部材としての山形鋼３の一辺3aを屋根２の頂部側から、屋根固定具５の中部板11と押圧板９との間に押し込む。最後に、横倒しにしておいた挟持部材４を起伏させ、挟持部材４の両端部4a，4aを手で把持しながら、上方に持上げて挟持部材４の両端部4a，4aを上部板８に設けた２箇所の孔13，13に挿入して固定する。以上で雪止め部材としての山形鋼３の雪止め部材取付け具１への取付けを完了する。
【００３０】
本考案によれば、雪止め部材としての山形鋼３の一辺3aを屋根固定具５の中部板11と押圧板９との間に押圧固定するとともに、山形鋼３の他の辺3bを中部板11と挟持部材４との間に挟持したので、屋根２上の積雪により山形鋼３に外力が加わっても山形鋼３を確実に固定することができる。また、雪止め部材取付け具１への山形鋼３の着脱作業を短時間で行なうことができる。
【００３１】
以上、本発明を実施例に基づいて説明したが、本発明は種々の変形実施をすることができる。たとえば、前記実施例においては挟持部材４を線材から製作したが、板材から製作することもできる。
【図面の簡単な説明】
【００３２】
【図１】本考案に係る雪止め部材取付け具が屋根に取り付けられた状態を示す略図である。
【図２】本考案に係る雪止め部材取付け具の実施例を示す正面図である。
【図３】本考案に係る雪止め部材取付け具の実施例を示す平面図である。
【図４】本考案に係る雪止め部材取付け具の実施例を示す側面図である。
【図５】本考案に係る雪止め部材取付け具の挟持部材を示す斜視図である。
【図６】従来技術による屋根固定具の実施例を示す正面図である。
【図７】従来技術による屋根固定具の実施例を示す平面図である。
【図８】従来技術による屋根固定具の実施例を示す側面図である。
【図９】従来技術による屋根固定具の実施例を示す正面図である。
【符号の説明】
【００３３】
１  雪止め部材取付け具
２  屋根
３  雪止め部材（山形鋼）
４  挟持部材
５  屋根固定具
８  上部板
13  孔
ｓ  孔間隔
Ｓ  両端部間隔
【図１】
0003116851.tif 000003
【図２】
0003116851.tif 000004
【図３】
0003116851.tif 000005
【図４】
0003116851.tif 000006
【図５】
0003116851.tif 000007
【図６】
0003116851.tif 000008
【図７】
0003116851.tif 000009
【図８】
0003116851.tif 000010
【図９】
0003116851.tif 000011